(57)【要約】【課題】異なる無線局によって運用される複数セルのキャリアアグリゲーション（例えば、inter-eNB CA）の実行中にプライマリセルが変更される場合に、セカンダリセルにおける通信サービスをプライマリセル変更後にも継続できるようにする。【解決手段】第１の無線局（１）は、無線端末（４）のプライマリセルを運用する無線局を第１の無線局（１）から第３の無線局（３）へ変更する手順中に、Radio Resource Control (RRC) messageを無線端末（４）に送信し、無線端末（４）に、第２のセル（２０）で確立されているデータ無線ベアラ（DRB）に対応するDRB設定情報を少なくとも含むベアラ情報を保持しつつ、第２のセル（２０）における無線リソース設定情報を解放させ、第２のセル（２０）における無線リソース設定を再設定(re-configure)させる、ことをトリガする。【選択図】図１
2018196157.tif 000002
【特許請求の範囲】
【請求項１】
第１のセルを運用する第１の無線局、第２のセルを運用する第２の無線局、及び、第３のセルを運用する第３の無線局を含む無線ネットワークと、
前記第１のセルまたは前記第３のセルをプライマリセル、前記第２のセルをセカンダリセルとして使用するデュアルコネクティビティを行う無線端末と、を備え、
前記第１の無線局は、前記無線端末の前記プライマリセルを運用する無線局を前記第１の無線局から前記第３の無線局へ変更する手順中に、Radio Resource Control (RRC) messageを前記無線端末に送信し、前記無線端末に、
前記第２のセルで確立されているデータ無線ベアラ（DRB）に対応するDRB設定情報を少なくとも含むベアラ情報を保持しつつ、前記第２のセルにおける無線リソース設定情報を解放させ、
前記第２のセルにおける無線リソース設定を再設定(re-configure)させる、
ことをトリガするよう構成される、無線通信システム。
【請求項２】
前記RRC messageは前記無線端末に、前記第２のセルで確立されていた前記DRBの少なくとも一部を、前記プライマリセルとしての前記第３のセルにおけるDRBとして再設定(re-configure)させることをトリガするよう構成される、請求項１に記載の無線通信システム。
【請求項３】
前記第１の無線局は、前記第３のセルにおけるDRBとして再設定する前記DRBの、前記第２のセルにおける通信状況情報を前記第２の無線局から受信し、前記第３の無線局へ少なくとも前記通信状況情報を送信するよう構成される、請求項１または２に記載の無線通信システム。
【請求項４】
前記第３の無線局は、前記第３のセルにおけるDRBとして再設定する前記DRBの、前記第２のセルにおける通信状況情報を前記第２の無線局から受信する、請求項１または２に記載の無線通信システム。
【請求項５】
前記第３の無線局は、前記プライマリセルを運用する前記無線局が前記第１の無線局から前記第３の無線局に変更された後に、前記第２のセルで提供されていたデータ通信を前記第３のセルで引き続き提供するよう構成される、請求項１乃至４のいずれか１項に記載の無線通信システム。
【請求項６】
前記第２の無線局及び前記無線端末は、前記プライマリセルを運用する無線局が前記第１の無線局から前記第３の無線局へ変更されている間、前記第２のセルで前記無線端末に提供されていたデータ通信を中断し、前記プライマリセルを運用する無線局が前記第１の無線局から前記第３の無線局へ変更された後に前記第２のセルで提供されていた前記データ通信を再開するよう構成される請求項１乃至５のいずれか１項に記載の無線通信システム。
【請求項７】
前記通信状況情報は、は、PDCP (Packet Data Convergence Protocol) SN (Sequence Number)、E-RAB (E-UTRAN (Evolved Universal Terrestrial Radio Access Network) Radio Access Bearer) ID (Identifier)、Receive Status Of UL (Uplink) PDCP SDUs (Service Data Units)、UL COUNT Value (PDCP SN + HFN)、DL (Downlink) COUNT Value (PDCP SN + HFN (Hyper Frame Number))、及びRLC (Radio Link Control) STATUSの少なくとも一つを含む、請求項３または４に記載の無線通信システム。
【請求項８】
前記第１の無線局及び前記第３の無線局の少なくとも一つは、前記第２の無線局に前記通信状況情報の報告の要求を行うよう構成される、請求項３に記載の無線通信システム。
【請求項９】
前記第１の無線局は前記無線端末に対する前記第２のセルにおけるデータ通信を中止又は中断の要求を前記第２の無線局に行うよう構成され、
前記第２の無線局は前記無線端末に対する前記第２のセルにおける前記データ通信を中止又は中断するよう構成される、請求項１乃至８のいずれか１項に記載の無線通信システム。
【請求項１０】
前記無線ネットワークは、上位ネットワーク装置を含み、
前記第１の無線局及び前記第２の無線局の少なくとも一つは、前記第２の無線局にて設定されている前記無線端末に対するベアラを前記第１の無線局へ切り替える要求を前記上位ネットワーク装置に行い、
前記上位ネットワーク装置は前記無線端末に対する前記ベアラを前記第１の無線局へ切り替える、請求項１乃至９のいずれか１項に記載の無線通信システム。
【請求項１１】
前記第１の無線局及び前記第３の無線局の少なくとも一つは、前記無線端末に対する前記第２のセルにおけるデータ通信の中止又は中断の再開を前記第２の無線局に要求するよう構成され、
前記第２の無線局は前記無線端末に対する前記第２のセルにおける前記データ通信を再開する、請求項１乃至１０のいずれか１項に記載の無線通信システム。
【請求項１２】
第１のセルを運用するよう構成される第１の無線局であって、
前記第１のセルまたは第３の無線局の第３のセルをプライマリセルとして、第２の無線局の第２のセルをセカンダリセルとして、使用するデュアルコネクティビティを行う無線端末と通信する通信手段と、
前記無線端末の前記プライマリセルを運用する無線局を前記第１の無線局から前記第３の無線局へ変更する手順中に、Radio Resource Control (RRC) messageを前記無線端末に送信し、前記無線端末に、
前記第２のセルで確立されているデータ無線ベアラ（DRB）に対応するDRB設定情報を少なくとも含むベアラ情報を保持しつつ、前記第２のセルにおける無線リソース設定情報を解放させ、
前記第２のセルにおける無線リソース設定を再設定(re-configure)させる、
ことをトリガする制御手段と、を備える、第１の無線局。
【請求項１３】
前記RRC messageは前記無線端末に、前記第２のセルで確立されていた前記DRBの少なくとも一部を、前記プライマリセルとしての前記第３のセルにおけるDRBとして再設定(re-configure)させることをトリガするよう構成される、請求項１２に記載の第１の無線局。
【請求項１４】
前記第３のセルにおけるDRBとして再設定する前記DRBの、前記第２のセルにおける通信状況情報を前記第２の無線局から受信する受信手段と、
前記第３の無線局へ少なくとも前記通信状況情報を送信する送信手段と、
を備え、
前記通信状況情報は前記セカンダリセルとして前記無線端末に対して前記第２のセルで提供されていたデータ通信を前記第３のセルで提供するために前記第３の無線局によって使われる、請求項１２又は１３に記載の第１の無線局。
【請求項１５】
前記通信状況情報は、PDCP (Packet Data Convergence Protocol) SN (Sequence Number)、E-RAB (E-UTRAN (Evolved Universal Terrestrial Radio Access Network) Radio Access Bearer) ID (Identifier)、Receive Status Of UL (Uplink) PDCP SDUs (Service Data Units)、UL COUNT Value (PDCP SN + HFN)、DL (Downlink) COUNT Value (PDCP SN + HFN (Hyper Frame Number))、及びRLC (Radio Link Control) STATUSの少なくとも一つを含む、請求項１４に記載の第１の無線局。
【請求項１６】
第１の無線局の第１のセルまたは第３の無線局の第３のセルをプライマリセルとして、第２の無線局の第２のセルをセカンダリセルとして、使用するデュアルコネクティビティを行う制御手段と、
前記第１の無線局から、前記プライマリセルを前記第１のセルから前記第３のセルへ変更する指示を含むRadio Resource Control (RRC) messageを受信する受信手段と、を備え、
前記制御手段が、
前記RRC messageに応じて、前記第２のセルで確立されているデータ無線ベアラ（DRB）に対応するDRB設定情報を少なくとも含むベアラ情報を保持しつつ、前記第２のセルにおける無線リソース設定情報を解放し、
前記第２のセルにおける無線リソース設定を再設定(re-configure)する、無線端末。
【請求項１７】
前記第１のセルから前記第３のセルへの前記プライマリセルの変更の後に、当該変更の前に前記第２のセルで行っていたデータ通信を、前記第２のセルにおいて再開する、請求項１６に記載の無線端末。
【請求項１８】
前記制御手段は、前記RRC messageに応じて、前記第２のセルで確立されていた前記DRBの少なくとも一部を、前記プライマリセルとしての前記第３のセルにおけるDRBとして再設定(re-configure)する、請求項１６又は１７に記載の無線端末。
【請求項１９】
前記ベアラ情報は、前記プライマリセルを前記第１のセルから前記第３のセルへ変更する手順中では解放されない、請求項１６乃至１８のいずれか１項に記載の無線端末。
【請求項２０】
第１のセルを運用する構成される第１の無線局における通信制御方法であって、
前記第１のセルまたは第３の無線局の第３のセルをプライマリセルとして、第２の無線局の第２のセルをセカンダリセルとして、使用するデュアルコネクティビティを行う無線端末と通信し、
前記無線端末の前記プライマリセルを運用する無線局を前記第１の無線局から前記第３の無線局へ変更する手順中に、Radio Resource Control (RRC) messageを前記無線端末に送信し、前記無線端末に、
前記第２のセルで確立されているデータ無線ベアラ（DRB）に対応するDRB設定情報を少なくとも含むベアラ情報を保持しつつ、前記第２のセルにおける無線リソース設定情報を解放させ、
前記第２のセルにおける無線リソース設定を再設定(re-configure)させる、
ことをトリガする、通信制御方法。
【請求項２１】
前記RRC messageは前記無線端末に、前記第２のセルで確立されていた前記DRBの少なくとも一部を、前記プライマリセルとしての前記第３のセルにおけるDRBとして再設定(re-configure)させることをトリガする、請求項２０に記載の通信制御方法。
【請求項２２】
前記第３のセルにおけるDRBとして再設定する前記DRBの、前記第２のセルにおける通信状況情報を前記第２の無線局から受信し、
前記第３の無線局へ少なくとも前記通信状況情報を送信し、
前記通信状況情報は前記セカンダリセルとして前記無線端末に対して前記第２のセルで提供されていたデータ通信を前記第３のセルで提供するために前記第３の無線局によって使われる、請求項２０又は２１に記載の通信制御方法。
【請求項２３】
前記通信状況情報は、PDCP (Packet Data Convergence Protocol) SN (Sequence Number)、E-RAB (E-UTRAN (Evolved Universal Terrestrial Radio Access Network) Radio Access Bearer) ID (Identifier)、Receive Status Of UL (Uplink) PDCP SDUs (Service Data Units)、UL COUNT Value (PDCP SN + HFN)、DL (Downlink) COUNT Value (PDCP SN + HFN (Hyper Frame Number))、及びRLC (Radio Link Control) STATUSの少なくとも一つを含む、請求項２２に記載の通信制御方法。
【請求項２４】
無線端末における通信制御方法であって、
第１の無線局の第１のセルまたは第３の無線局の第３のセルをプライマリセルとして、第２の無線局の第２のセルをセカンダリセルとして、使用するデュアルコネクティビティを行い、
前記第１の無線局から、前記プライマリセルを前記第１のセルから前記第３のセルへ変更する指示を含むRadio Resource Control (RRC) messageを受信し、
前記RRC messageに応じて、前記第２のセルで確立されているデータ無線ベアラ（DRB）に対応するDRB設定情報を少なくとも含むベアラ情報を保持しつつ、前記第２のセルにおける無線リソース設定情報を解放し、
前記第２のセルにおける無線リソース設定を再設定(re-configure)する、通信制御方法。
【請求項２５】
前記第１のセルから前記第３のセルへの前記プライマリセルの変更の後に、当該変更の前に前記第２のセルで行っていたデータ通信を、前記第２のセルにおいて再開する、請求項２４に記載の通信制御方法。
【請求項２６】
前記RRC messageに応じて、前記第２のセルで確立されていた前記DRBの少なくとも一部を、前記プライマリセルとしての前記第３のセルにおけるDRBとして再設定(re-configure)する、請求項２４又は２５に記載の通信制御方法。
【請求項２７】
前記ベアラ情報は、前記プライマリセルを前記第１のセルから前記第３のセルへ変更する手順中では解放されない、請求項２４乃至２６のいずれか１項に記載の通信制御方法。
【発明の詳細な説明】
【技術分野】
【０００１】
本発明は、無線局と無線端末が複数のセルを利用して通信を行う無線通信システムに関する。
【背景技術】
【０００２】
近年のモバイルトラフィックの急激な増大による通信品質の低下の改善、及びさらなる高速通信の実現のため、3GPP LTE（Long Term Evolution）では無線基地局（eNode B: eNB）と無線端末（User Equipment: UE）が複数のセルを使用して通信を行うキャリアアグリゲーション（Carrier Aggregation: CA）機能の仕様化が行われている。なお、UEがCAで使用可能なセルは、１つのeNBのセル（つまり、eNBが運用するセル）に限定される。
【０００３】
UEが使用するセルはCAを開始する時点でサービングセルとして使用しているプライマリセル（Primary cell: PCell）と、追加的に又は従属的に使用するセカンダリセル（Secondary cell: SCell）に分類される。PCellでは、無線接続の（再）確立（RRC Connection Establishment, RRC Connection Re-establishment）の際に、NASモビリティ情報（Non Access Stratum mobility information）及びセキュリティ情報（security input）等が送受信される（非特許文献１を参照）。PCellに対応するDL CarrierがDL PCC (Primary Component Carrier)であり、UL CarrierがUL PCCである。同様に、SCellに対応するDL CarrierがDL SCC(Secondary Component Carrier)であり、UL CarrierがUL SCCである。
【０００４】
CAを行っているUEが基地局間ハンドオーバ（Inter-eNB handover）をするとき、SCellは解放（Release）される（非特許文献２及び３を参照）。以下では、図２４のシーケンス図を用いて、UEがsource eNB1のCell1及びCell2をCAしているときにtarget eNB2のCell3へハンドオーバする手順を説明する。
【０００５】
ステップＳ１では、UEがeNB1のCell1をPCellとして使用し、同じeNB1のCell2をSCellとして使用してCAを行う。ステップＳ２では、UEが端末測定報告（Measurement report）をeNB1に送信。本例では、Measurement reportは、ハンドオーバ先となるCell3の測定結果を含む。
【０００６】
ステップＳ３では、eNB1がeNB2にハンドオーバ要求（Handover (HO) preparation request）を送信する。HO preparation request は、eNB1でCAに使用されていたSCellのリスト（本例では、Cell2）（sourceSCellConfigList）を含む。 HO preparation request は、ハンドオーバ後に使用される候補セルのリスト（candidateCellInfoList）を含んでもよい。ステップＳ４では、eNB2がeNB1にハンドオーバ要求への肯定応答（HO preparation request ACK）を送信する。HO preparation request ACKは、解放されるSCellのリスト（本例では、Cell2）（sCellToReleaseList）を含む。 HO preparation request ACKは、ハンドオーバ後に使用されるSCellのリスト（本例では、Cell4）（sCellToAddModList）を含んでもよい。
【０００７】
ステップＳ５では、eNB1がUEにeNB2のCell3へのハンドオーバを指示するメッセージ（RRC Connection Reconfiguration）を送信する。このとき、eNB2からeNB1に通知されたsCellToReleaseList 及びsCellToAddModList等もUEに送信される。ステップＳ６では、eNB1がeNB2にUEの通信状況を送信（SN status transfer）する。ステップＳ７では、UEがSCell (つまりCell2)を解放する（SCell release）。ステップＳ８では、UEがCell3においてeNB2と同期確立し、ハンドオーバ処理を完了する（Synchronization and RRC Connection Reconfiguration Complete）。ステップＳ９では、UEがCell4をSCellとして追加する指示を受けていた場合、それを実行する（SCell addition）。
【０００８】
ステップＳ１０では、eNB2がコアネットワーク（EPC）にパス切り替えを要求する（Path switch request）。ステップＳ１１では、EPCがパス切り替えを実行する（Path switch）。ステップＳ１２では、EPCがパス切り替え完了をeNB2に通知する（Path switch request ACK）。ステップＳ１３では、eNB2がeNB1に端末情報の解放（開放が可能なこと）を通知する（UE context release）。ステップＳ１４では、eNB2がUEにCell4をSCellとして追加する指示をしていた場合、Cell4を有効にするよう指示する（SCell activation）。ステプＳ１５では、UEがCell3をPCellとして使用しCell4をSCellとして使用してCAを行う。
【０００９】
また、異なるeNBによって運用される複数のセルを統合するInter-eNB CAのコンセプトが提案されている（非特許文献４）。例えば、Inter-eNB CAでは、マクロ基地局（Macro eNB: MeNB）により運用されるマクロセル（Macro cell）とピコ基地局（Pico eNB: PeNB）によって運用されるピコセル（Pico cell）を使用することが考えられている。
【００１０】
さらに、カバレッジの広いマクロセルをUEの移動管理などの制御系の信号の送受信に用い、相対的に通信品質が良好なピコセルをユーザーデータなどのデータ系の信号の送受信に用いる方法（いわゆるC/U Split）も提案されている（非特許文献５）。
【先行技術文献】
【非特許文献】
【００１１】
【非特許文献１】3GPP TS 36.300 V11.3.0, " Evolved Universal Terrestrial Radio Access (E-UTRA) and Evolved Universal Terrestrial Radio Access Network (E-UTRAN); Overall description; Stage 2", Section 7.5, September 2012
【非特許文献２】3GPP TS 36.331 V11.1.0, "Evolved Universal Terrestrial Radio Access (E-UTRA); Radio Resource Control (RRC); Protocol specification", Section 5.3.5.4, September 2012
【非特許文献３】3GPP TS 36.423 V11.2.0, " Evolved Universal Terrestrial Radio Access Network (E-UTRAN); X2 application protocol (X2AP)", Section 9.1.1, September 2012
【非特許文献４】3GPP RWS-120046, Samsung Electronics, "Technologies for Rel-12 and Onwards", 3GPP TSG RAN Workshop on Rel-12 and Onwards Ljubljana, Slovenia, 11-12 June 2012
【非特許文献５】3GPP RWS-120010, NTT DOCOMO, "Requirements, Candidate Solutions & Technology Roadmap for LTE Rel-12 Onward", 3GPP TSG RAN Workshop on Rel-12 and Onwards Ljubljana, Slovenia, 11-12 June 2012
【発明の概要】
【発明が解決しようとする課題】
【００１２】
Inter-eNB CAでは、例えば、マクロ基地局（Macro eNB: MeNB）のセルをPCell、低電力基地局（Low Power Node: LPN）のセルをSCellとして同時に使用することが考えられる。この場合、PCell及びSCellのそれぞれにおいて独立にベアラが設定される。UEは、PCellのベアラを介してMeNBと通信し、SCellのベアラを介してLPNと通信する。
【００１３】
本件発明者等は、inter-eNB CAを実行している無線端末（UE）がハンドオーバする際の通信サービスの継続性について様々な検討を行い、幾つかの課題を見出した。例えば、MeNBのセルをPCellとし且つLPNのセルをSCellとしてinter-eNB CAを実行しているUEが他のMeNBにハンドオーバし、これによりプライマリセルが変更される場合を考える。このハンドオーバに通常のCA（つまり、intra-eNB CA）を実行中のUEのハンドオーバ手順（図２４）を適用すると、UEはSCell（LPNのセル）を解放しなければならない。したがって、SCellにおいて通信していたサービスがハンドオーバ後に継続されないという問題が生じる。この問題の原因は以下の通りである。intra-eNB CAではPCell及びSCellで共通のベアラが設定され、PCellにおける通信状況（SN status）をsource eNBからtarget eNBに転送し、UEも当該通信状況を保持する。したがって、intra-eNB CAでは、PCellにおける通信状況に基づき、ハンドオーバ後にSCellのサービスも継続される。これに対して、inter-eNB CAでSCellが解放されると、SCellにおける通信状況を含むSCellのベアラ情報が破棄される。このため、inter-eNB CAでは、SCellの通信状況をtarget eNBに伝達する仕組みがなく、ハンドオーバ後にSCellのサービスが継続できない。
【００１４】
従って、本件発明の目的の１つは、異なる無線局によって運用される複数セルのキャリアアグリゲーション（例えば、inter-eNB CA）の実行中にプライマリセルが変更される場合に、セカンダリセルにおける通信サービスをプライマリセル変更後にも継続することが可能な無線通信システム、無線局、無線端末、通信制御方法、及びプログラムを提供することである。
【課題を解決するための手段】
【００１５】
第１の態様では、無線通信システムは、第１〜第３の無線局を含む無線ネットワーク、及び無線端末を含む。前記第１〜第３の無線局は、第１〜第３のセルをそれぞれ運用する。前記無線端末は、１つの無線局のセルをプライマリセルとして使用している間に他の無線局のセルをセカンダリセルとして使用する機能を有する。さらに、前記無線ネットワーク及び前記無線端末は、前記無線端末が前記第１のセルを前記プライマリセルとして使用し且つ前記第２のセルを前記セカンダリセルとして使用している間に、前記第２のセルにおける前記無線端末に関する通信状況情報を保持しつつ前記プライマリセルを前記第１のセルから前記第３のセルに変更するよう構成されている。
【００１６】
第２の態様では、第１の無線局は、第１のセルを運用する無線通信部、及び通信制御部を含む。前記通信制御部は、無線端末が前記第１のセルをプライマリセルとして使用し且つ第２の無線局により運用される第２のセルをセカンダリセルとして使用している間に前記プライマリセルを第３の無線局により運用される第３のセルに変更する際に、（ａ）前記無線端末に対する前記第２のセルにおける通信の中止又は中断の要求、及び（ｂ）前記第２のセルにおける前記無線端末に関する通信状況情報の報告の要求、の少なくとも一方を前記第２の無線局に行うよう構成されている。
【００１７】
第３の態様では、第２の無線局は、第２のセルを運用する無線通信部、及び通信制御部を含む。前記通信制御は、無線端末が第１の無線局によって運用される第１のセルをプライマリセルとして使用し且つ前記第２のセルをセカンダリセルとして使用している間に前記プライマリセルを第３の無線局により運用される第３のセルに変更する際に、前記無線端末に対する前記第２のセルにおけるデータ通信の中止又は中断の指示を前記第１の無線局から受信し、前記データ通信を中止又は中断するよう構成されている。
【００１８】
第４の態様では、第３の無線局は、第３のセルを運用する無線通信部、及び通信制御部を含む。前記通信制御部は、無線端末が第１の無線局により運用される第１のセルをプライマリセルとして使用し且つ第２の無線局により運用される第２のセルをセカンダリセルとして使用している間に前記プライマリセルを前記第３のセルに変更する際に、（ａ）前記第２のセルにおける前記無線端末に関する通信状況情報の受信、及び（ｂ）前記第２の無線局に前記第２のセルにおける前記無線端末に提供していたデータ通信の再開の指示、の少なくとも一方を行うよう構成されている。
【００１９】
第５の態様では、無線端末は、第１〜第３の無線局と通信する無線通信部、及び通信制御部を含む。前記通信制御部は、前記第１の無線局により運用される第１のセルをプライマリセルとして使用している間に前記第２の無線局により運用される第２のセルをセカンダリセルとして使用する制御を行うよう構成されている。さらに、前記通信制御部は、前記第１のセルを前記プライマリセルとして使用し且つ前記第２のセルを前記セカンダリセルとして使用している間に、前記第２のセルにおける前記無線端末に関する通信状況情報を保持しつつ前記プライマリセルを前記第１のセルから前記第３の無線局により運用される第３のセルに変更するよう構成されている。
【００２０】
第６の態様では、第１のセルを運用する第１の無線局における通信制御方法は、無線端末が前記第１のセルをプライマリセルとして使用し且つ第２の無線局により運用される第２のセルをセカンダリセルとして使用している間に前記プライマリセルを第３の無線局により運用される第３のセルに変更する際に、（ａ）前記無線端末に対する前記第２のセルにおける通信の中止又は中断の要求、及び（ｂ）前記第２のセルにおける前記無線端末に関する通信状況情報の報告の要求、の少なくとも一方を前記第２の無線局に行うことを含む。
【００２１】
第７の態様では、第２のセルを運用する第２の無線局における通信制御方法は、無線端末が第１の無線局によって運用される第１のセルをプライマリセルとして使用し且つ前記第２のセルをセカンダリセルとして使用している間に前記プライマリセルを第３の無線局により運用される第３のセルに変更する際に、前記無線端末に対する前記第２のセルにおけるデータ通信の中止又は中断の指示を前記第１の無線局から受信し、前記データ通信を中止又は中断することを含む。
【００２２】
第８の態様では、第３のセルを運用する第３の無線局における通信制御方法は、無線端末が第１の無線局により運用される第１のセルをプライマリセルとして使用し且つ第２の無線局により運用される第２のセルをセカンダリセルとして使用している間に前記プライマリセルを前記第３のセルに変更する際に、（ａ）前記第２のセルにおける前記無線端末に関する通信状況情報の受信、及び（ｂ）前記第２の無線局に前記第２のセルにおける前記無線端末に提供していたデータ通信の再開の指示、の少なくとも一方を行うことを含む。
【００２３】
第９の態様では、無線端末における通信制御方法は、
（ａ）第１の無線局により運用される第１のセルをプライマリセルとして使用している間に第２の無線局により運用される第２のセルをセカンダリセルとして使用すること、及び
（ｂ）前記第１のセルを前記プライマリセルとして使用し且つ前記第２のセルを前記セカンダリセルとして使用している間に、前記第２のセルにおける前記無線端末に関する通信状況情報を保持しつつ前記プライマリセルを前記第１のセルから第３の無線局により運用される第３のセルに変更すること、
を含む。
【００２４】
第１０の態様では、プログラムは、上述した第６の態様に係る通信制御方法をコンピュータに行わせるための命令群を含む。
【００２５】
第１１の態様では、プログラムは、上述した第７の態様に係る通信制御方法をコンピュータに行わせるための命令群を含む。
【００２６】
第１２の態様では、プログラムは、上述した第８の態様に係る通信制御方法をコンピュータに行わせるための命令群を含む。
【００２７】
第１３の態様では、プログラムは、上述した第９の態様に係る通信制御方法をコンピュータに行わせるための命令群を含む。
【発明の効果】
【００２８】
上述した態様によれば、異なる無線局によって運用される複数セルのキャリアアグリゲーション（例えば、inter-eNB CA）の実行中にプライマリセルが変更される場合に、セカンダリセルにおける通信サービスをプライマリセル変更後にも継続することが可能な無線通信システム、無線局、無線端末、通信制御方法、及びプログラムを提供できる。
【図面の簡単な説明】
【００２９】
【図１】第１の実施形態に係る無線通信システムの構成例を示す図である。
【図２】第１の実施形態に係る第１の無線局の構成例を示す図である。
【図３】第１の実施形態に係る第２の無線局の構成例を示す図である。
【図４】第１の実施形態に係る第３の無線局の構成例を示す図である。
【図５】第１の実施形態に係る無線端末の構成例を示す図である。
【図６】第１の実施形態に係る無線端末の動作例を示すフローチャートである（手順例１）。
【図７】第１の実施の形態に係る無線ネットワークの動作例を示すフローチャートである（手順例１）。
【図８】第１の実施の形態に係る無線通信システムにおける通信制御方法の一例を示すシーケンス図である（手順例１）。
【図９】第１の実施の形態に係る無線通信システムにおける通信制御方法の他の例を示すシーケンス図である（手順例１の変形）。
【図１０】第１の実施形態に係る無線端末の動作例を示すフローチャートである（手順例２）。
【図１１】第１の実施の形態に係る第１の無線局の動作例を示すフローチャートである（手順例２）。
【図１２】１の実施の形態に係る第２の無線局の動作例を示すフローチャートである（手順例２）。
【図１３】１の実施の形態に係る第３の無線局の動作例を示すフローチャートである（手順例２）。
【図１４】第１の実施の形態に係る無線通信システムにおける通信制御方法の一例を示すシーケンス図である（手順例２）。
【図１５】第１の実施形態に係る無線端末の動作例を示すフローチャートである（手順例２）。
【図１６】第１の実施の形態に係る第１の無線局の動作例を示すフローチャートである（手順例２）。
【図１７】１の実施の形態に係る第２の無線局の動作例を示すフローチャートである（手順例２）。
【図１８】１の実施の形態に係る第３の無線局の動作例を示すフローチャートである（手順例２）。
【図１９】第１の実施の形態に係る無線通信システムにおける通信制御方法の一例を示すシーケンス図である（手順例３）。
【図２０】第２の実施の形態に係る無線通信システムにおける通信制御方法の一例を示すシーケンス図である（手順例４）。
【図２１】第２の実施の形態に係る無線通信システムにおける通信制御方法の一例を示すシーケンス図である（手順例５）。
【図２２】第２の実施の形態に係る無線通信システムにおける通信制御方法の一例を示すシーケンス図である（手順例６）。
【図２３】第２の実施の形態に係る無線通信システムにおける通信制御方法の一例を示すシーケンス図である（手順例７）。
【図２４】ＬＴＥのキャリアアグリゲーションにおけるハンドオーバ手順を示すシーケンス図である（背景技術）。
【発明を実施するための形態】
【００３０】
以下では、具体的な実施形態について、図面を参照しながら詳細に説明する。各図面において、同一又は対応する要素には同一の符号が付されており、説明の明確化のため、必要に応じて重複説明は省略される。
【００３１】
＜第１の実施形態＞
図１は、本実施形態に係る無線通信システムの構成例を示している。本実施形態に係る無線通信システムは、無線ネットワーク６、及び無線端末４を含む。無線ネットワーク６は、第１の無線局１、第２の無線局２、第３の無線局３、及び無線局１〜３に接続されたコアネットワーク５を含む。無線局１、２、及び３は、第１のセル１０、第２のセル２０、及び第３のセル３０をそれぞれ運用する。無線局１〜３は、例えば、無線基地局、又は基地局制御局である。無線端末４は、１つの無線局のセルをプライマリセル（Primary Cell: PCell）として使用している間に他の無線局のセルをセカンダリセル（Secondary Cell: SCell）として使用する機能を有する。言い換えると、無線端末４は、異なる無線局によって運用される複数のセルのキャリアアグリゲーションをサポートする。プライマリセル（PCell）は、キャリアアグリゲーションを開始する時点で無線端末４のサービングセルとして使用されているセルである。セカンダリセル（SCell）は、キャリアアグリゲーションのために無線端末４において追加的に又は従属的に使用されるセルである。
【００３２】
例えば、無線端末４は、第１のセル１０における第１の無線接続を維持したまま、第２のセル２０における第２の無線接続を確立することができ、第１のセル１０をプライマリセル（PCell）として使用し且つ第２のセル２０をセカンダリセル（SCell）として使用することができる。これにより、無線端末４は、信号（例えば、ユーザーデータ又は制御情報）の送信又は受信のために複数のセル（例えば、セル１０及び２０）を同時に使用することができる。「複数のセルを同時に使用する」とは、実際に複数のセルで信号を同時に受信又は送信することに限定はされず、複数のセルの両方において信号を受信又は送信することが可能な状態になっているが実際にはいずれかのセルで信号を受信又は送信すること、複数のセルそれぞれで種類の異なる信号を受信又は送信すること、或いは、複数のセルそれぞれを信号の受信又は送信のいずれかに使用すること、などを含む。異なる無線局によって運用される複数のセルのキャリアアグリゲーションという観点から、異なる無線局によって運用される複数のセルを使用する機能は、無線局間キャリアアグリゲーションと呼ぶことができる。また、上述のような複数のセルの同時使用の観点から、異なる無線局によって運用される複数のセルを使用する機能は、デュアル接続（Dual Connection）、デュアル接続性（Dual Connectivity）、マルチ接続（Multi Connection）、マルチ接続性（Multi Connectivity）、などと呼ぶこともできる。
【００３３】
無線端末４は、無線局に対して無線局間キャリアアグリゲーションが可能であることを示す端末能力報告を行ってもよいし、無線端末４のカテゴリ又は装置リリース番号などにより無線局間キャリアアグリゲーションが可能であることを暗に示していてもよい。また、上述のように、無線局間キャリアアグリゲーションの能力は、デュアル接続の能力、又はマルチ接続の能力、と呼ぶこともできる。
【００３４】
図１は、ヘテロジーニアス・ネットワーク（Heterogeneous Network: HetNet）環境を示している。具体的に述べると、図１に示された第１のセル１０及び３０は、第２のセル２０に比べて広いカバレッジを有する。また、図１は、第１のセル１０及び第３のセルの境界付近に第２のセル２０が配置された階層化セル構成を示している。しかしながら、図１に示されたセル構成は一例に過ぎない。例えば、セル１０、２０、及び３０は、同程度のカバレッジを有してもよい。言い換えると、本実施形態に係る無線通信システムは、ホモジーニアス・ネットワーク（Homogeneous Network）環境に適用されてもよい。
【００３５】
本実施形態に係る無線通信システムは、無線端末４がセル１０及び２０の無線局間キャリアアグリゲーションの実行中にPCellをセル１０からセル３０に変更する場合に、SCell（つまり、セル２０）において提供されていたサービスをPCell変更後にも継続可能にするために、以下のように動作する。すなわち、無線端末４及び無線ネットワーク６は、無線端末４が第１のセル１０をPCellとして使用し且つ第２のセル２０をSCellとして使用している間に、第２のセル２０における無線端末４に関する通信状況情報（communication status information）を保持しつつPCellを第１のセル１０から第３のセル３０に変更する変更手順（例えば、ハンドオーバ手順）を実行する。無線端末４及び無線ネットワーク６は、PCell変更手順が行われている間、セル２０における通信状況情報を解放すること無く保持しておけばよい。
【００３６】
より具体的に述べると、無線端末４は、セル１０をPCellとしセル２０をSCellとする無線局間キャリアアグリゲーションを実行している間に、PCellである第１のセル１０及びSCellである第２のセル２０の通信状況情報を保持しつつ、無線端末４のPCellを第１のセル１０から第３のセル３０に変更する。そして、無線端末４は、PCellを第３のセル３０へと変更した後に、保持している通信状況情報を基に通信を再開する。つまり、無線端末４は、SCellとしての第２のセル２０で提供されていたデータ通信（データ通信サービス、通信サービス、又は単にサービスとも呼ぶことができる）の続きを第２のセル２０又は第３のセル３０において再開する。ここで、データ通信の続きとは、厳密な意味での続きであってもよいし、当該データ通信で実現していたサービスの継続を意味してもよい。また、あるパケットがセル２０にて送信に失敗していた場合、データ通信の続きは、当該パケットをセル２０又は３０にて再送信することを意味してもよい。
【００３７】
無線ネットワーク６は、セル１０をPCellとしセル２０をSCellとする無線局間キャリアアグリゲーションを無線端末４との間で実行している間に、無線端末４に関する第１のセル１０及び第２のセル２０の通信状況情報を保持しつつ、無線端末４のPCellを第１のセル１０から第３のセル３０へ変更する。そして、無線ネットワーク６は、無線端末４のPCellを第３のセル３０へと変更した後に、保持している通信状況情報を基に通信を再開する。つまり、無線ネットワーク６は、SCellとしての第２のセル２０で提供されていたデータ通信（データ通信サービス、通信サービス、又は単にサービスとも呼ぶことができる）の続きを第２のセル２０又は第３のセル３０において再開する。
【００３８】
これにより、本実施形態に係る無線通信システムは、無線端末４が無線局１及び２のセル１０及び２０をPCell及びSCellとして使用してデータ通信（データ通信サービス、通信サービス、又は単にサービスとも呼ぶことができる）を行なっている間にPCellを無線局３のセル３０に変更する場合に、PCell変更後にもセル１０及び２０で行なっていたデータ通信の続きを継続することができる。
【００３９】
なお、以上に述べた説明において、第３の無線局３は、第１の無線局１と同じでもよい。言い換えると、第１のセル１０及び第３のセル３０は、１つの無線局１によって提供される異なるセル又はセクタであってもよい。
【００４０】
無線端末４及び無線ネットワーク６において保持されるSCell（セル２０）の通信状況情報は、PCell変更前にSCell（セル２０）において行われていたデータ通信をPCell変更後に再開するために必要な情報とすればよい。したがって、SCellの通信状況情報は、例えば、通常のハンドオーバの際にソースセルの無線局からターゲットセルの無線局に送られるソースセルの通信状況情報に類似にした内容を有していればよい。SCellの通信状況情報は、SCellにおける無線端末４の通信の状況、又はサービスの状況（service status）を示す情報とも言える。SCellにおける通信状況情報は、サービス毎の通信状況でもよいし、複数のサービスの通信状況でもよい。通信状況情報は、例えば、以下に列挙する情報要素のうち少なくとも１つを含んでもよい。
・ユーザーデータ（User Plane: U-plane）の送信状況又は受信状況
・サービス情報
・ベアラ情報
・無線リソース設定情報
ここで、ベアラは、例えば、シグナリング無線ベアラ（Signaling Radio Bearer: SRB）、データ無線ベアラ（Data Radio Bearer: DRB）、又はネットワークベアラ（S1 bearer, E-RAB, or EPS bearer）である。
【００４１】
本実施形態において、PCellをセル１０からセル３０に変更する変更手順は、一般的なハンドオーバ手順を用いることができる。
【００４２】
無線端末４は、以下のようにして、PCell変更時にSCellの通信状況情報を保持してもよい。例えば、無線端末４は、無線端末４に対して設定されている第２のセル２０のベアラ（SCellベアラ、又はセカンダリベアラと呼ぶ）を解放し、通信状況情報を保持してもよい。また、無線端末４は、第２のセル２０のベアラ（SCellベアラ）を解放するが、第２のセルでのベアラの設定情報と通信状況情報を保持してもよい。また、無線端末４は、無線端末４に対して設定されている第２のセル２０のベアラ（SCellベアラ）を維持したまま、通信状況情報を保持してもよい。SCellベアラを解放する場合、無線端末４は、SCellベアラに関する情報を、あたかも無線端末４に対して設定されている第１のセル１０のベアラ（PCellベアラ、又はプライマリベアラと呼ぶ）として扱ってもよい。例えば、無線端末４は、無線ベアラの設定を除くベアラ設定情報を、PCellベアラと同様に扱ってもよい。つまり、SCellベアラ設定情報の保持・更新・リセット・再設定などの処理は、PCellベアラ設定情報と同様に実行されてもよい。尚、PCellベアラ（又はSCellベアラ）は、例えばPCell（又はSCell）に設定されている無線ベアラ又はネットワークベアラが考えられるが、これに限定はされない。
【００４３】
一方、無線ネットワーク６も、無線端末４と同様の手法でSCellの通信状況情報を保持してもよい。すなわち、無線ネットワーク６は、無線端末４に対して設定されている第２のセル２０のベアラ（SCellベアラ）を解放し、通信状況情報を保持してもよい。また、無線ネットワーク６は、第２のセル２０のベアラ（SCellベアラ）を解放するが、第２のセルでのベアラの設定情報と通信状況情報を保持してもよい。また、無線ネットワーク６は、無線端末４に対して設定されている第２のセル２０のベアラ（SCellベアラ）を維持したまま、通信状況情報を保持してもよい。SCellベアラを解放する場合、無線ネットワーク６は、解放されたSCellベアラを第１のセル１０のベアラ（PCellベアラ）として再設定し、これにより、解放されたSCellベアラをPCellベアラとして扱ってもよい。例えば、無線ネットワーク６は、SCellベアラのパス（経路）をPCellに切り替えることでSCellベアラをPCellベアラに変更し、無線ベアラ設定を除く当該SCellベアラの設定情報をPCellベアラに引き継いでもよい。つまり、SCellベアラに関する無線ベアラ設定を除くベアラ設定情報は、PCellベアラに引き継がれる。尚、PCellベアラ（又はSCellベアラ）は、例えばPCell（又はSCell）に設定されている無線ベアラ又はネットワークベアラが考えられるが、これに限定はされない。
【００４４】
既に述べたように、PCell変更前にSCellとしての第２のセル２０で提供されていたデータ通信は、PCell変更後に第３のセル３０（変更後のPCell）で再開されてもよい。この場合、無線ネットワーク６は、セル２０における無線端末４の通信状況情報を無線局２から無線局３に転送すればよい。これに代えて、第２のセル２０で提供されていたデータ通信は、PCell変更後に第２のセル２０で再開されてもよい。この場合、無線ネットワーク６は、セル２０における無線端末４の通信状況情報を無線局２において保持すればよい。そして、無線ネットワーク６は、PCell変更後に、セル３０をPCellとし使用し且つセル２０をSCellとして使用するキャリアアグリゲーションを無線端末４との間で行えばよい。
【００４５】
以下、上述のデータ通信を広義のサービスとして説明する。尚、ここで言うサービスとは、無線ネットワークの観点からすると、下りリンクのデータや制御系シグナリングの送信、上りリンクのデータや制御系シグナリングの受信、下りリンク及び上りリンクの音声呼の送信及び受信、などに対応する。同様に、サービスは、無線端末の観点からの下りリンクのデータや制御系シグナリングの受信、上りリンクのデータや制御系シグナリングの送信、下りリンク及び上りリンクの音声呼の受信及び送信、などに対応する。以下、基本的に下りリンクのサービスを例に本発明の実施形態を説明するが、上りリンクのサービスに対しても本発明が適用できることは言うまでもない。
【００４６】
続いて以下では、本実施形態に係る無線局１〜３、並びに無線端末４の構成例について説明する。図２は、第１の無線局１の構成例を示すブロック図である。無線通信部１１は、無線端末４から送信された上りリンク信号（uplink signal）をアンテナを介して受信する。受信データ処理部１３は、受信された上りリンク信号を復元する。得られた受信データは、通信部１４を経由して他のネットワークノード、例えばコアネットワーク５のデータ中継装置若しくはモビリティ管理装置、又は他の無線局に転送される。例えば、無線端末４から受信された上りリンクユーザーデータは、コアネットワーク５のデータ中継装置に転送される。また、無線端末４から受信された制御データのうち非アクセス層（Non-Access Stratum（NAS））の制御データは、コアネットワーク５のモビリティ管理装置に転送される。さらに、受信データ処理部１３は、無線局２又は３に送信される制御データを通信制御部１５から受信し、これを通信部１４を経由して無線局２又は３に送信する。
【００４７】
送信データ処理部１２は、無線端末４宛てユーザーデータを通信部１４から取得し、誤り訂正符号化、レートマッチング、インタリービング等を行なってトランスポートチャネルを生成する。さらに、送信データ処理部１２は、トランスポートチャネルのデータ系列に制御情報を付加して送信シンボル列を生成する。無線通信部１１は、送信シンボル列に基づく搬送波変調、周波数変換、信号増幅等の各処理を行って下りリンク信号（downlink signal）を生成し、これを無線端末４に送信する。さらに、送信データ処理部１２は、無線端末４に送信される制御データを通信制御部１５から受信し、これを無線通信部１１を経由して無線端末４に送信する。
【００４８】
通信制御部１５は、第１のセル１０をPCellとして使用し且つ第２のセル２０をSCellとして使用する無線局間キャリアアグリゲーションを制御する。さらに、通信制御部１５は、SCell（第２のセル２０）における無線端末４に関する通信状況情報を無線ネットワーク６及び無線端末４において保持しつつ無線端末４のPCellを第１のセル１０から第３のセル３０に変更するための変更手順を実行する。通信制御部１５は、PCellの変更手順を、無線局２、無線局３、及び無線端末４と連携して行う。
【００４９】
一例において、通信制御部１５は、SCell（第２のセル２０）における無線端末４に関する通信状況情報を第２の無線局２から受信し、この通信状況情報を第３の無線局３に送信してもよい。また、通信制御部１５は、コアネットワーク５又は第２の無線局２に対して、セル２０のベアラ（SCellベアラ）をセル１０のベアラ（PCellベアラ）に切り替えるよう要求してもよい。また、他の例において、通信制御部１５は、SCell（第２のセル２０）における無線端末４に関する通信状況情報を保持しつつSCellでのサービス提供を中断するよう第２の無線局２に指示してもよい。通信制御部１５により行われる制御及びシグナリングの詳細については後述する。
【００５０】
図３は、第２の無線局２の構成例を示すブロック図である。図３に示された無線通信部２１、送信データ処理部２２、受信データ処理部２３、及び通信部２４の機能及び動作は、図２に示された無線局１の対応する要素、すなわち無線通信部１１、送信データ処理部１２、受信データ処理部１３、及び通信部１４と同様である。
【００５１】
無線局２の通信制御部２５は、第１のセル１０をPCellとして使用し且つ第２のセル２０をSCellとして使用する無線局間キャリアアグリゲーションを制御する。さらに、通信制御部２５は、SCell（第２のセル２０）における無線端末４に関する通信状況情報を無線ネットワーク６及び無線端末４において保持しつつ無線端末４のPCellを第１のセル１０から第３のセル３０に変更するための変更手順を実行する。通信制御部２５は、PCellの変更手順を、無線局１、無線局３、及び無線端末４と連携して行う。
【００５２】
一例において、通信制御部２５は、SCell（第２のセル２０）における無線端末４に関する通信状況情報を第１の無線局１又はコアネットワーク５に送信するよう動作してもよい。また、通信制御部２５は、コアネットワーク５又は第１の無線局１に対して、セル２０のベアラ（SCellベアラ）をセル１０のベアラ（PCellベアラ）に切り替えるよう要求してもよい。また、通信制御部２５は、PCellの変更後に、コアネットワーク５又は第３の無線局３からSCellにおける無線端末４に関する通信状況情報を受信してもよい。また、他の例において、通信制御部２５は、SCell（第２のセル２０）における無線端末４へのサービス提供を中断するとともに、SCell（第２のセル２０）における無線端末４に関する通信状況情報を保持しておき、PCellが第１のセル１０から第３のセル３０に変更された後に第２のセル２０において中断されていたサービスの提供を再開してもよい。通信制御部２５により行われる制御及びシグナリングの詳細については後述する。
【００５３】
図４は、第３の無線局３の構成例を示すブロック図である。図４に示された無線通信部３１、送信データ処理部３２、受信データ処理部３３、及び通信部３４の機能及び動作は、図２に示された無線局１の対応する要素、すなわち無線通信部１１、送信データ処理部１２、受信データ処理部１３、及び通信部１４と同様である。
【００５４】
無線局３の通信制御部３５は、SCell（第２のセル２０）における無線端末４に関する通信状況情報を無線ネットワーク６及び無線端末４において保持しつつ無線端末４のPCellを第１のセル１０から第３のセル３０に変更するための変更手順を実行する。通信制御部３５は、PCellの変更手順を、無線局１、無線局２、及び無線端末４と連携して行う。
【００５５】
一例において、通信制御部３５は、SCell（第２のセル２０）における無線端末４に関する通信状況情報を第１の無線局１から受信してもよい。通信制御部３５は、SCellにおける通信状況情報に基づき、PCell変更前にSCell（第２のセル２０）で提供されていたサービスを変更後のPCell（第３のセル３０）において提供するよう制御してもよい。また、通信制御部３５は、PCell変更前にSCell（第２のセル２０）で提供されていたサービスを再び第２のセルで提供するよう制御してもよい。このとき、通信制御部３５は、第３のセル３０をPCellとして使用し且つ第２のセル２０をSCellとして使用する無線局間キャリアアグリゲーションを制御してもよい。通信制御部３５により行われる制御及びシグナリングの詳細については後述する。
【００５６】
図５は、無線端末４の構成例を示すブロック図である。無線通信部４１は、異なる無線局によって運用される複数のセルのキャリアアグリゲーションをサポートし、ユーザーデータの送信又は受信のために複数のセル（例えば、セル１０及び２０）を同時に使用することができる。具体的には、無線通信部４１は、アンテナを介して、無線局１、無線局２、又は無線局３から下りリンク信号を受信する。受信データ処理部４２は受信された下りリンク信号から受信データを復元してデータ制御部４３に送る。データ制御部４３は、受信データをその目的に応じて利用する。また、送信データ処理部４４及び無線通信部４１は、データ制御部４３から供給される送信データを用いて上りリンク信号を生成し、無線局１、無線局２、又は無線局３に向けて送信する。
【００５７】
無線端末４の通信制御部４５は、複数のセルをPCell及びSCellとして使用するキャリアアグリゲーションを制御する。例えば、通信制御部４５は、第１のセル１０をPCellとして使用し且つ第２のセル２０をSCellとして使用する無線局間キャリアアグリゲーションを制御する。さらに、通信制御部４５は、SCell（第２のセル２０）における無線端末４に関する通信状況情報を無線ネットワーク６及び無線端末４において保持しつつ無線端末４のPCellを第１のセル１０から第３のセル３０に変更するための変更手順を実行する。通信制御部４５は、PCellの変更手順を、無線局１、無線局２、及び無線局３と連携して行う。
【００５８】
一例において、通信制御部４５は、SCell（第２のセル２０）における無線端末４に関する通信状況情報を保持しつつPCellを第１のセル１０から第３のセル３０に変更してもよい。具体的には、通信制御部４５は、PCellの変更手順（例えば、ハンドオーバ手順）が行われているあいだSCell（第２のセル２０）における無線端末４に関する通信状況情報を解放すること無く保持してもよい。そして、通信制御部４５は、PCell変更前にSCell（第２のセル２０）で提供されていたサービスを、PCellが第３のセル３０に変更された後に第２のセル２０又は第３のセル３０において再開してもよい。通信制御部４５により行われる制御及びシグナリングの詳細については後述する。
【００５９】
続いて以下では、本実施形態に係る無線通信システムにおける通信制御方法の手順例１〜３について説明する。
【００６０】
（手順例１）
手順例１では、無線ネットワーク６は、無線端末４が第１のセル１０から第３のセル３０にハンドオーバした後に、ハンドオーバ前にSCellとしての第２のセル２０において提供されていた通信（サービス）を第３のセル３０において再開する。
【００６１】
図６は、手順例１における無線端末４の動作の一例を示すフローチャートである。ステップＳ１０１では、無線端末４（通信制御部４５）は、第３のセル３０へのハンドオーバの指示を無線ネットワーク６から受信する。ステップＳ１０２では、無線端末４（通信制御部４５）は、セル１０及び２０での通信状況情報を保持しつつセル３０へのハンドオーバを開始する。ハンドオーバが完了した場合（ステップＳ１０３でＹＥＳ）、無線端末４（通信制御部４５）は、保持しておいたセル１０及び２０での通信状況情報に基づいて、無線端末４の通信をセル３０において再開する。再開される通信は、PCell変更前にSCell（セル２０）で行われていた通信を含む。
【００６２】
図７は、手順例１における無線ネットワーク６の動作の一例を示すフローチャートである。ステップＳ２０１では、無線ネットワーク６（例えば、無線局１の通信制御部１５）は、第３のセル３０へのハンドオーバの指示を無線端末４に送信する。ステップＳ２０２では、無線ネットワーク６は（例えは、無線局１の通信制御部１５、無線局２の通信制御部２５、及び無線局３の通信制御部３５）は、セル１０及び２０での無線端末４に関する通信制御情報を保持しつつ、セル１０からセル３０への無線端末４のハンドオーバ手順を開始する。ハンドオーバが完了した場合（ステップＳ２０３でＹＥＳ）、無線ネットワーク６（通信制御部３５）は、保持しておいたセル１０及び２０での無線端末４の通信状況情報に基づいて、無線端末４との通信をセル３０において行う。つまり、無線ネットワーク６は、通信を再開する。再開される通信は、PCell変更前にSCell（セル２０）で行われていた通信を含む。
【００６３】
図８は、手順例１の全体を示すシーケンス図の一例である。ステップＳ３０１及びＳ３０２では、無線ネットワーク６及び無線端末４は、第１のセル１０をPCellとして使用し且つ第２のセル２０をSCellとして使用して通信（無線局間キャリアアグリゲーション）を行なっている。ステップＳ３０３では、無線ネットワーク６は、セル１０からセル３０へのハンドオーバの指示を無線端末４に送信する。ステップＳ３０４では、無線端末４は、セル１０及び２０での通信状況情報を保持しつつセル３０へのハンドオーバを開始する。無線ネットワーク６も、無線端末４のハンドオーバの間、セル１０及び２０での無線端末４の通信状況情報を保持する（ステップＳ３０５）。ステップＳ３０６では、無線ネットワーク６及び無線端末４は、セル１０からセル３０への無線端末４のハンドオーバを完了する。ステップＳ３０７では、無線ネットワーク６及び無線端末４は、保持しておいたセル１０及び２０での無線端末４の通信状況情報に基づいて、無線端末４の通信をセル３０において再開する。再開される通信は、PCell変更前にSCell（セル２０）で行われていた通信を含む。
【００６４】
上述した手順例１において、第１の無線局１（通信制御部１５）は、第２のセル２０の通信状況情報を保持すること（又は、通信状況情報を保持しつつハンドオーバを実行すること）を無線端末４に明示的に通知してもよい。この通知は、第１のセル１０から第３のセル３０へのハンドオーバの指示のメッセージと共に送信されてもよいし、ハンドオーバ指示とは別メッセージで送信されてもよい。また、第１の無線局１（通信制御部１５）は、セル２０のベアラ（SCellベアラ）を解放すること、又はSCellベアラを維持することを無線端末４に通知してもよい。
【００６５】
（手順例１の変形）
手順例１の変形では、無線ネットワーク６は、無線端末４が第１のセル１０から第３のセル３０にハンドオーバした後に、ハンドオーバ前にSCellとしての第２のセル２０において提供されていた通信（サービス）を第２のセル２０において再開する。つまり、第３の無線局３は、無線端末４のPCellを第３のセル３０に変更するハンドオーバの後に、第２のセル２０をSCellとして使用する。
【００６６】
図９は、手順例１の変形の全体を示すシーケンス図である。図９のステッＳ４０１〜Ｓ４０７における処理は、図８に示したステップＳ３０１〜Ｓ３０７における処理と同様である。ステップＳ４０８では、無線ネットワーク６（例えば、無線局３の通信制御部３５）は、無線端末４のPCell変更後に、第２のセル２０の使用開始の指示を無線端末４に送信する。これに代えて、無線ネットワーク６（例えば、無線局３の通信制御部３５）は、セル２０における通信再開の指示を無線端末４に送信してもよい。これにより、ステップＳ４０９では、無線ネットワーク６及び無線端末４は、PCell変更前にセル１０で行なっていた通信をセル３０にて再開し、PCell変更前にセル２０で行なっていた通信をセル２０にて再開することができる。
【００６７】
無線ネットワーク６は、第２のセル２０を使用開始するために、無線端末４のPCell変更後（つまり、ハンドオーバ後）に、第２のセル２０の無線リソース設定情報を無線端末４に送信してもよい。また、第２のセル２０の無線リソース設定情報の送信は、無線ネットワーク６から無線端末４への第２のセルの使用開始の指示を表してもよい。これに代えて、無線ネットワーク６は、第２のセル２０の無線リソース設定情報とは別に、第２のセル２０の有効化を示すActivationメッセージを無線端末４に送信してもよい。
【００６８】
（手順例２）
手順例２は、上述した手順例１のより具体的な例に相当する。図１０は、手順例２における無線端末４の動作の一例を示すフローチャートである。ステップＳ５０１では、無線端末４（通信制御部４５）は、第３のセル３０へのハンドオーバの指示を第１の無線局１から第１のセル１０において受信する。ステップＳ５０２では、無線端末４（通信制御部４５）は、PCell（第１のセル１０）で提供されている通信（サービスＡ）と、SCell（第２のセル２０）で提供されている通信（サービスＢ）の通信状況情報を保持する。ステップＳ５０３では、無線端末４（通信制御部４５）は、第１のセル１０から第３のセル３０へのハンドオーバを開始する。ハンドオーバが完了した場合（ステップＳ５０４でＹＥＳ）、無線端末４（通信制御部４５）は、保持しておいたセル１０及び２０での通信状況情報に基づいて、サービスＡ及びＢをセル３０において再開する。
【００６９】
図１１は、手順例２における第１の無線局１の動作の一例を示すフローチャートである。ステップＳ６０１では、無線局１（通信制御部１５）は、第３のセル３０への無線端末４のハンドオーバ要求を無線局３に送信する。ステップＳ６０２では、無線局１（通信制御部１５）は、ハンドオーバ要求に対する肯定応答（ACK）を無線局３から受信する。ステップＳ６０３では、無線局１（通信制御部１５）は、無線端末４に対するサービス中止の指示と、無線端末４に関する通信状況情報の報告の指示を無線局２に送信する。ステップＳ６０４では、無線局１（通信制御部１５）は、第２のセル２０における無線端末４の通信状況情報の報告を無線局２から受信する。ステップＳ６０５では、無線局１（通信制御部１５）は、第３のセル３０へのハンドオーバ指示を無線端末４に送信する。ステップＳ６０６では、無線局１（通信制御部１５）は、自身が管理している第１のセル１０における無線端末４の通信状況情報と、無線局２から受信した第２のセル２０における無線端末４の通信状況情報を、無線局３に送信する。ステップＳ６０７では、無線局１（通信制御部１５）は、ハンドオーバ完了通知を無線局３から受信した場合に図１１の処理を終了する。
【００７０】
図１２は、手順例２における第２の無線局２の動作の一例を示すフローチャートである。ステップＳ７０１では、無線局２（通信制御部２５）は、対象無線端末（つまり、無線端末４）に対するサービス中止の指示と、無線端末４に関する通信状況情報の報告の指示を無線局１から受信する。ステップＳ７０２では、無線局２（通信制御部２５）は、第２のセル２０における無線端末４へのサービス提供を中止する。ステップＳ７０３では、無線局２（通信制御部２５）は、第２のセル２０における無線端末４の通信状況情報を無線局１に送信する。
【００７１】
図１３は、手順例２における第３の無線局３の動作の一例を示すフローチャートである。ステップＳ８０１では、無線局３（通信制御部３５）は、第３のセル３０への無線端末４のハンドオーバ要求を無線局１から受信する。ステップＳ８０２では、無線局３（通信制御部３５）は、ハンドオーバ要求に対する肯定応答（ACK）を無線局１に送信する。ステップＳ８０３では、無線局３（通信制御部３５）は、セル１０及びセル２０における無線端末４の通信状況情報を無線局１から受信する。ステップＳ８０４では、無線局３（通信制御部３５）は、無線端末４のハンドオーバ手順を実行する。ハンドオーバが完了した場合（ステップＳ８０４でＹＥＳ）、無線局３（通信制御部３５）は、ハンドオーバ完了通知を無線局１に送信する（ステップＳ８０５）。ステップＳ８０６では、無線局３（通信制御部３５）は、セル１０及び２０における無線端末４の通信状況情報に基づいて、サービスＡ及びＢを第３のセル３０において再開する。
【００７２】
図１４は、手順例２の全体を示すシーケンス図の一例である。ステップＳ９０１では、無線局１及び無線端末４は、第１のセル１０をPCellとして使用して通信（サービスＡ）を行なっている。ステップＳ９０２では、無線局２及び無線端末４は、第２のセル２０をSCellとして使用して通信（サービスＢ）を行なっている。ステップＳ９０３では、無線局１は、ハンドオーバ要求を無線局３に送信し、ハンドオーバ要求への応答（ACK）を無線局３から受信する。ステップＳ９０４では、無線局１は、サービスＢの中止指示および通信状況情報の報告指示を無線局２に送信する。ステップＳ９０５では、無線局２は、サービス中止指示に応答して、SCell（第２のセル２０）における無線端末４へのサービスＢを中止する。ステップＳ９０６では、無線局２は、通信状況情報の報告指示に応答して、第２のセル２０における無線端末４の通信状況情報を無線局１に報告する。
【００７３】
ステップＳ９０７では、無線局１は、PCell（第１のセル１０）におけるサービスＡを中止する。ステップＳ９０８では、無線局１は、ハンドオーバ指示を無線端末４に送信する。ステップＳ９０９では、無線端末４は、セル１０及び２０における通信状況情報を保持しつつ、セル１０からセル３０へのハンドオーバを行う。ステップＳ９１０では、無線局１は、セル１０及びセル２０における無線端末４の通信状況情報を無線局３に送信する。ステップＳ９１１では、無線局３及び無線端末４は、ハンドオーバを完了する。ステップＳ９１２では、無線局３は、ハンドオーバ完了通知を無線局１に送信する。ステップＳ９１３では、無線局３及び無線端末４は、ハンドオーバ前にセル１０及び２０で行なっていた通信（サービスＡ及びＢ）をセル３０において再開する。
【００７４】
ここで、上記手順例２において、無線局１が無線局２に、サービスＢの中止の要求と無線端末４に対する通信状況の報告の要求を行う代わりに、サービスＢの中止の要求のみを行なってもよい。この場合、無線局１は無線局３に第１のセルにおける通信状況情報のみを送信する。さらに、この場合、無線局３が無線局２に無線端末４に対する通信状況の報告の要求を行なってもよい。例えば、無線局１から第１のセルにおける通信状況の報告を受けた後、或いは、無線局１にハンドオーバ完了通知を行う前又は後、などのタイミングで行うことが考えられる。
【００７５】
（手順例３）
手順例３では、第２の無線局２が第２のセル２０での通信（サービスＢ）を一旦中断し、無線端末４のPCellが第１セル１０から第３のセル３０に変更された後に第２のセル２０において中断していた通信（サービスＢ）を再開する。したがって、第３の無線局３は、無線端末４のハンドオーバの完了後に、第２のセル２０における通信再開（サービス再開）の指示を無線端末４に送信する。なお、第３の無線局３は、第２のセル２０の使用開始の指示又は通信再開（サービス再開）の指示と共に又はこれらの代わりとして、第２のセル２０の無線リソース設定情報若しくは無線リソース制御情報又はこれら両方を送信してもよい。
【００７６】
図１５は、手順例３における無線端末４の動作の一例を示すフローチャートである。図１５に示されたステップＳ１００１〜Ｓ１００２の処理は、図１０に示されたステップＳ５０１〜Ｓ５０２の処理と同様である。ステップＳ１００３では、無線端末４（通信制御部４５）は、第２のセル２０の設定情報（例えば、無線リソース設定情報）を保持しておく。ステップＳ１００４〜Ｓ１００５の処理は、図１０に示されたステップＳ５０３〜Ｓ５０４の処理と同様である。ステップＳ１００６では、無線端末４（通信制御部４５）は、第１のセル１０における通信状況情報に基づいて、第３のセル３０においてサービスＡを再開する。ステップＳ１００７では、無線端末４（通信制御部４５）は、第２のセル２０での通信再開の指示を無線局３から受信したかを判定する。通信再開の指示を受信した場合（ステップＳ１００７でＹＥＳ）、無線端末４（通信制御部４５）は、第２のセル２０の通信状況情報及び設定情報に基づいて、第２のセル２０においてサービスＢを再開する（ステップＳ１００８）。
【００７７】
図１６は、手順例３における無線局１の動作の一例を示すフローチャートである。図１６に示されたステップＳ１１０１、Ｓ１１０２、Ｓ１１０５、及びＳ１１０７における処理は、図１１に示されたステップＳ６０１、Ｓ６０２、Ｓ６０５、及びＳ６０７の処理と同様である。ステップＳ１１０３では、無線局１（通信制御部１５）は、ハンドオーバ要求に対する肯定応答（ACK）を受信した後に、サービスＢの中断指示を無線局２に送信する。ステップＳ１１０４では、無線局１（通信制御部１５）は、サービス中断の報告を無線局２から受信する。ステップＳ１１０６では、無線局１は、自身が管理するPCell（第１のセル１０）における通信状況情報を無線局３に送信する。SCell（第２のセル２０）における通信状況情報は無線局２において保持されているため、無線局１はSCellにおける通信状況情報を無線局３に送信しなくてもよい。
【００７８】
図１７は、手順例３における無線局２の動作の一例を示すフローチャートである。ステップＳ１２０１では、無線局２（通信制御部２５）は、サービスＢの中断指示を無線局１から受信する。ステップＳ１２０２では、無線局２（通信制御部２５）は、中断指示に応答して、第２のセル２０における対象無線端末（つまり、無線端末４）に対するサービスＢを中断する。ステップＳ１２０３では、無線局２（通信制御部２５）は、第２のセル２０でのサービスＢの中断報告を無線局１に送信する。ステップＳ１２０４では、無線局２（通信制御部２５）は、サービスＢの再開指示を無線局３から受信したかを判定する。再開指示を受信した場合（ステップＳ１２０４でＹＥＳ）、無線局２（通信制御部２５）は、自身で管理するセル２０における無線端末４の通信状況情報に基づいて、第２のセル２０においてサービスＢを再開する。
【００７９】
図１８は、手順例３における無線局３の動作の一例を示すフローチャートである。図１８に示されたステップＳ１３０１〜Ｓ１３０５における処理は、図１３に示されたステップＳ８０１〜Ｓ８０５の処理と同様である。ステップＳ１３０６では、無線局３（通信制御部３５）は、セル１０における無線端末４の通信状況情報に基づいて、サービスＡを第３のセル３０において再開する。ステップＳ１３０７では、無線局３（通信制御部３５）は、第２のセル２０における無線端末４に対するサービスＢの再開指示を無線局２に送信する。
【００８０】
図１９は、手順例３の全体を示すシーケンス図の一例である。図１９に示されたステップＳ１４０１〜Ｓ１４０３における処理は、手順例２に係る図１４のステップＳ９０１〜Ｓ９０３の処理と同様である。図１９のステップＳ１４０４では、無線局１は、サービスＢの中止指示ではなく、サービスＢの中断指示を無線局２に送信する。また、通信状況情報の方向指示の送信は必要ない。無線局２は、中断指示に応答してサービスＢを中断し（ステップＳ１４０５）、中断報告を無線局１に送信する（ステップＳ１４０６）。ステップＳ１４０６の後、ステップＳ１４０７〜Ｓ１４０９における処理は、図１４のステップＳ９０７〜Ｓ９０９の処理と同様である。
【００８１】
図１９のステップＳ１４１０では、無線局１は、PCell（第１のセル１０）における無線端末４の通信状況情報を無線局３に送信する。SCell（第２のセル２０）における無線端末４の通信状況情報の送信は必要ない。ステップＳ１４１０の後、ステップＳ１４１１及びＳ１４１２における処理は、図１４のステップＳ９１１及びＳ９１２の処理と同様である。図１９のステップＳ１４１３では、無線局３及び無線端末４は、第３のセル３０においてPCellに関するサービスＡを再開する。ステップＳ１４１４では、無線局３は、SCellに関するサービスＢの再開指示を無線局２に送信する。ステップＳ１４１５では、無線局２及び無線端末４は、第２のセル２０においてSCellに関するサービスＢを再開する。
【００８２】
上述した手順例１〜手順例３において無線端末４が行う通信（サービス）は、データ通信（User plane: U-plane）でもよいし、制御系シグナリング（Control plane: C-plane）であってもよい。
【００８３】
上述した手順例１〜手順例３において、無線局間でのメッセージ又は情報のやり取りは、コアネットワーク５経由で行われてもよい。
【００８４】
上述した手順例１において、無線ネットワーク６及び無線端末４は、さらに、第３のセル３０のエリア（カバレッジ）内に位置している第４の無線局の第４のセルで通信を行なってもよい。
【００８５】
上述した手順例２及び３において、サービスＡとサービスＢは同じサービスであってもよい。
【００８６】
上述した手順例３において、PCell変更後（無線端末４のハンドオーバ後）のサービス継続の形態は、サービスＡ及びＢの両方をセル２０で行うように変更されてもよい。
【００８７】
上述した手順例１〜手順例３の適用先としては、第１の無線局１が比較的カバレッジの大きいセルを運用（管理）する無線局であり、第２の無線局２がカバレッジの小さいセルを運用（管理）する低電力無線局（Low Power Node: LPN）である場合が考えられるが、これに限定はされない。LPNとしては、例えば無線局１と同様の機能を持つ無線局や、無線局１に比べ機能が少ない新しい種類のネットワークノード（New Node）である場合が考えられる。また、第２のセル２０は、従来とは異なる新しい種類のキャリア（New Carrier Type）を構成要素とする従来とは異なる新しい種類のセル（New Cell Type）であってもよい。
【００８８】
＜第２の実施形態＞
本実施形態では、上述した第１の実施形態を3GPP LTEシステムに適用する例について説明する。本実施形態に係る無線通信システムの構成例は、図１と同様とすればよい。ただし、無線局１〜３はeNBに相当し、無線端末４はUEに相当し、コアネットワーク５はEPC(Evolved Packet Core)に相当する。また、eNB１〜eNB３は、無線アクセスネットワーク（Radio Access Network: RAN）に相当する。無線局間（つまり、eNB間）の情報の送受信は、直接インタフェースであるX2インタフェースを用いても良いし、コアネットワークを経由するインタフェースであるS1インタフェースを用いても良いし、或いは、新たに規定されるインタフェース（例えば、X3インタフェース）でも良い。無線端末（UE）４は、異なる無線局（eNB）によって運用される複数のセルのキャリアアグリゲーション（Inter-eNB CA）をサポートする。なお、ここでの「Inter-eNB CA」とは、実際に異なるeNBのセルで信号を同時に受信又は送信することに限定はされず、異なるeNBのセルの両方において信号（例えば、ユーザーデータ又は制御情報）を受信又は送信することが可能な状態になっているが実際にはいずれかのeNBのセルで信号を受信又は送信すること、異なるeNBのセルそれぞれで種類の異なる信号を受信又は送信すること、或いは、異なるeNBのセルそれぞれを信号の受信又は送信のいずれかに使用すること、などを含む。以下では、無線局１〜３をeNB１〜２、無線端末４をUE４とし、コアネットワーク５をEPC５として説明する。
【００８９】
第１の実施形態で述べたのと同様に、通信状況情報は、例えば、以下に列挙する情報要素のうち少なくとも１つを含んでもよい。
・ユーザーデータ（User Plane: U-plane）の送信状況又は受信状況
・サービス情報
・ベアラ情報
・無線リソース設定情報
【００９０】
ユーザーデータの送信状況又は受信状況は、例えばPDCP (Packet Data Convergence Protocol) SN (Sequence Number)やHFN (Hyper Frame Number)のステータスを示す情報などを転送するSN Status Transferメッセージの内容であってもよい。SN Status Transferメッセージは、E-RAB ID、Receive Status Of UL PDCP SDUs、UL COUNT Value (PDCP SN + HFN)、及びDL COUNT Value (PDCP SN + HFN)等を含む。また、ユーザーデータの送信状況又は受信状況は、RLC status (e.g. RLC STATUS PDU)であってもよい。
【００９１】
サービス情報は、例えば、QoSの情報、又は QCI (QoS Class Indicator)の値を含んでもよい。
【００９２】
ベアラ情報は、シグナリング無線ベアラ（Signaling Radio Bearer: SRB）、データ無線ベアラ（Data Radio Bearer: DRB）、又はネットワークベアラ（S1 bearer, E-RAB, or EPS bearer）に関する情報である。例えば、ベアラ情報は、ベアラのID (e.g. drb-Identity、eps-BearerIdentity、E-RAB ID)、端末識別情報（e.g. eNB UE S1AP ID, MME UE S1AP ID, or TMSI）、又はネットワーク識別情報（e.g. GUMMEI, UL GTP Tunnel Endpoint, or DL GTP Tunnel Endpoint）を含んでもよい。
【００９３】
無線リソース設定情報は、例えば、共通無線リソース設定情報（Radio Resource Config Common）、又は個別無線リソース設定情報（Radio Resource Config Dedicated）を含んでもよい。
【００９４】
続いて以下では、本実施形態に係る無線通信システムにおける通信制御方法の手順例４〜７について説明する。
【００９５】
（手順例４）
手順例４は、第１の実施形態で説明した手順例２に対応する。すなわち、UE４がeNB１のセル１０（PCell）でサービスＡを受けており且つeNB２のセル２０（SCell）でサービスＢを受けている間にPCellをeNB３のセル３０に変更する際に、UE４及び無線ネットワーク６（つまり、RAN及びEPC）は、セル１０及び２０の通信状況情報を保持しつつUE４のハンドオーバを実行する。そして、UE４及び無線ネットワーク６は、ハンドオーバによるPCellの変更後に、eNB３のセル３０においてサービスＡ及びＢを再開する。
【００９６】
図２０は、手順例４の全体を示すシーケンス図の一例である。なお、図２０において、第１のセル１０はCELL1と表示され、第２のセル２０はCELL2と表示され、第３のセル３０はCELL3と表示されている。ステップＳ１５０１では、eNB１及びUE４は、第１のセル１０をPCellとして使用して通信（サービスＡ）を行なっている。ステップＳ１５０２では、eNB２及びUE４は、第２のセル２０をSCellとして使用して通信（サービスＢ）を行なっている。ステップＳ１５０３では、UE４は、測定報告（Measurement Report）をeNB１に送信する。ステップＳ１５０４では、eNB１は、測定報告に基づいて第３のセル３０へのUE４のハンドオーバを決定し、ハンドオーバ要求（HO Preparation Request）をeNB３に送信する。ステップＳ１５０５では、eNB１は、ハンドオーバ要求に対する応答（HO Preparation Request ACK）をeNB３から受信する。ステップＳ１５０６では、eNB１は、サービスＢの中止指示および通信状況情報の報告指示をeNB２に送信する（Service Abort Request and Communication Status Request）。ステップＳ１５０７では、eNB２は、セル２０でのサービスＢを中止し、セル２０におけるUE４の通信状況情報（Communication Status Information）をeNB１に送信する。ステップＳ１５０８では、eNB１は、セル１０でのサービスＡを中止し、ハンドオーバ指示（RRC Connection Reconfiguration）をUE４に送信する。ここで、サービス中止（Service Abort Request）は、Cause valueとして新規に規定されてもよい。
【００９７】
ステップＳ１５０９及びＳ１５１０では、UE４は、セル１０及び２０における通信状況情報を保持しつつ、セル２０のベアラを解放し（Release Bearer in Cell2）、セル１０からセル３０へのハンドオーバを行う。ステップＳ１５１１では、eNB１は、SN STATUS TRANSFERメッセージをeNB３に送信する。SN STATUS TRANSFERメッセージは、セル１０及びセル２０におけるUE４の通信状況情報を含む。ステップＳ１５１２では、eNB３及びUE４は、セル３０においてeNB3と同期確立し、ハンドオーバ処理を完了する（Synchronization and RRC Connection Reconfiguration Complete）。ステップＳ１５１３では、eNB３は、ハンドオーバ完了通知（UE Context Release）をeNB１に送信する。ステップＳ１５１４では、eNB３及びUE４は、セル３０においてサービスＡ及びＢを再開（継続）する。
【００９８】
なお、図２０のステップＳ１５１０におけるUE４によるSCell Bearerの解放（Release）は、例えば、無線リソース設定（e.g. Radio Resource Config Common, Radio Resource Config Dedicated）を解放することにより行われてもよい。また、SCell Bearerの解放（Release）は、セル２０において確立されているData Radio Bearer (DRB)若しくはSignaling Radio Bearer (SRB)又はこれら両方を解放することにより行われてもよい。
【００９９】
図２０のステップＳ１５１４におけるサービスＢの再開（継続）は、セル２０に確立されていたベアラ（例えば、radio Bearer）に対応するPacket Data Convergence Protocol (PDCP) layer及びRadio Link Control (RLC) layerを再確立（re-establishment）することにより行われてもよい。したがって、ステップＳ１５１４におけるサービスＢの再開は、ベアラ再確立（bearer re-establishment）、又はベアラ再設定（bearer re-configuration）と呼ぶこともできる。
【０１００】
ここで、上記手順例４において、eNB１がeNB２に、サービスＢの中止の要求とUE４に対する通信状況の報告の要求を行う代わりに、サービスＢの中止の要求のみを行なってもよい。この場合、eNB１はeNB３にCell１における通信状況情報のみを送信する。さらに、この場合、eNB３がeNB２にUE４に対する通信状況の報告の要求を行なってもよい。例えば、eNB１からCell１における通信状況の報告を受けた後、或いは、eNB１にハンドオーバ完了通知を行う前又は後、などのタイミングで行うことが考えられる。
【０１０１】
＜手順例５＞
手順例５は、手順例４にEPC５の処理を追加したものである。図２１は、手順例５の全体を示すシーケンス図の一例である。図２１においても、セル１０、２０、３０は、CELL1、CELL2、CELL3と表示されている。図２１のステップＳ１６０１〜Ｓ１６０３の処理は、図２０のステップＳ１５０１〜Ｓ１５０５の処理と同様である。
【０１０２】
図２１のステップＳ１６０４では、eNB１は、eNB２のセル２０を経由する無線端末４のベアラをeNB１のセル１０を経由するベアラに変更するためのベアラ切り替え要求をEPC５（例えば、Mobility Management Entity (MME)）に送信する（Path switch of bearer at eNB2/Cell2 to eNB1/Cell1）。なお、このベアラ切り替え要求は、eNB２によってEPC５に対して行われてもよい。
【０１０３】
図２１のステップＳ１６０５〜Ｓ１６１１の処理は、図２０のステップＳ１５０６〜Ｓ１５１２の処理と同様である。図２１のステップＳ１６１２では、eNB３は、eNB１のセル１０を経由する無線端末４のベアラをeNB３のセル３０を経由するベアラに変更するためのベアラ切り替え要求をEPC５（例えば、MME）に送信する（Path switch of bearer at eNB1/Cell1 to eNB3/Cell3）。図２１のステップＳ１６１３〜Ｓ１６１４の処理は、図２０のステップＳ１５１３〜Ｓ１５１４の処理と同様である。
【０１０４】
＜手順例６＞
手順例６は、第１の実施形態で説明した手順例３に対応する。すなわち、eNB２がセル２０での通信（サービスＢ）を一旦中断し、UE４のPCellがセル１０からセル３０に変更された後に、セル２０において中断していた通信（サービスＢ）を再開する。eNB３は、UE４のハンドオーバの完了後に、セル２０における通信再開（サービス再開）の指示をUE４に送信する。
【０１０５】
図２２は、手順例６の全体を示すシーケンス図の一例である。図２３においても、セル１０、２０、３０は、CELL1、CELL2、CELL3と表示されている。図２２のステップＳ１７０１〜Ｓ１７０５の処理は、図２０のステップＳ１５０１〜Ｓ１５０５の処理と同様である。図２２のステップＳ１７０６では、eNB１は、サービスＢの中止指示ではなく、サービスＢの中断指示（Service Suspension Request）をeNB２に送信する。ステップＳ１７０７では、eNB２は、サービスＢを中断し、中断指示に対する応答（Service Suspension Request ACK）をeNB１に送信する。尚、サービスの中断指示は、ベアラの中断指示（Bearer Suspension Request）と言うこともできる。また、これらはCause valueとして新規に規定されてもよい。
【０１０６】
図２２のステップＳ１７０８〜Ｓ１７０９の処理は、図２０のステップＳ１５０８〜Ｓ１５０９の処理と同様である。なお、手順例６では、UE４は、セル２０のベアラを解放する必要はない。つまり、UE４はセル２０における通信状況情報に加えて、セル２０のベアラを維持してもよい。しかしながら、UE４は、セル２０のベアラを一旦解放してもよい。
【０１０７】
図２２のステップＳ１７１０では、eNB１は、SN STATUS TRANSFERメッセージをeNB３に送信する。当該メッセージは、セル１０における無線端末４の通信状況情報を含む。図２２のステップＳ１７１１〜Ｓ１７１２は、図２０のステップＳ１５１２〜Ｓ１５１３と同様である。図２２のステップＳ１７１３では、eNB３及びUE４は、セル３０においてPCellに関するサービスＡを再開する。ステップＳ１７１４では、eNB３は、SCellに関するサービスＢの再開指示（Service Resuming Request）をeNB２に送信する。ステップＳ１７１５では、eNB２及びUE４は、セル２０においてSCellに関するサービスＢを再開する。
【０１０８】
なお、図２２のステップＳ１７１４のサービスＢの再開指示（Service Resuming Request）の送信は、eNB３ではなくeNB１又はUE４により行われてもよい。この場合、さらに、eNB１、eNB２又はUE４は、eNB３に対してサービスＢ再開の通知を行なってもよい。これに代えて、eNB１は、eNB２がセル２０においてサービスＢを行なっていることをeNB３に予め通知しておいてもよい。この予めの通知は、例えば、handover preparation request、SN status transfer、又は新規メッセージを用いて行われてもよい。
【０１０９】
また、図２２のステップＳ１７１２〜Ｓ１７１４では、さらに、以下の処理が行われてもよい。eNB１は、ハンドオーバ完了通知（UE context release）を受信しハンドオーバ（つまり、PCell変更）が完了した後に、eNB３との接続確立の指示をeNB２に送信する。eNB２は、eNB１からの接続確立の指示の指示に応答して、eNB３に接続確立の要求を送信する。そして、eNB２及びeNB３は接続を確立する。その後、eNB３は、サービスＢの再開指示（Service Resuming Request）をeNB２に送信する。eNB２及びeNB３の接続の確立は、例えば、eNB間のX2インタフェースの確立、EPCを介したS1インタフェースを介した接続の確立、又はeNBとLPN間の新規インタフェース（例えば、X3）の確立を含む。
【０１１０】
＜手順例７＞
手順例７は、手順例６にEPC５の処理を追加したものである。図２３は、手順例７の全体を示すシーケンス図の一例である。図２３においても、セル１０、２０、３０は、CELL1、CELL2、CELL3と表示されている。図２３のステップＳ１８０１〜Ｓ１８０９の処理は、図２２のステップＳ１７０１〜Ｓ１７１０の処理と同様である。図２３のステップＳ１８１０では、eNB３は、eNB１のセル１０を経由する無線端末４のベアラをeNB３のセル３０を経由するベアラに変更するためのベアラ切り替え要求をEPC５（例えば、Mobility Management Entity (MME)）に送信する（Path switch of bearer at eNB1/Cell1 to eNB3/Cell3）。図２３のステップＳ１８１１〜Ｓ１８１４の処理は、図２２のステップＳ１７１２〜Ｓ１７１５の処理と同様である。
【０１１１】
＜その他の実施形態＞
上述した第１及び第２の実施形態は、C/U Split構成、つまりカバレッジの広いマクロセルをUEの移動管理などの制御系の信号（C-Plane 信号）の送受信に用い、相対的に通信品質が良好なピコセルをユーザーデータなどのデータ系の信号（U-Plane 信号）の送受信に用いる構成、に適用されてもよい。例えば、eNB１及びeNB３のセル１０及び３０がC-Plane 信号の送受信に使用され、eNB２のセル２０がU-Plane 信号の送信に使用されてもよい。
【０１１２】
また、上述した第１及び第２の実施形態は、プライマリセル（PCell）を無線局（eNB）１の別の（例えば、周波数が異なる又は地理的配置が異なる）セルに変更する際にも適用可能である。また、第１及び第２の実施形態は、SCellが複数存在する構成に適用されてもよい。
【０１１３】
また、上述した第１及び第２の実施形態は、PCellとSCellが異なるduplex modeを採用する構成に適用されてもよい。例えば、PCell及びSCellの一方がFDD（Frequency Division Duplex）を採用し、他方がTDD（Time Division Duplex）を採用してもよい。
【０１１４】
また、第１及び第２の実施形態で述べた無線局１（通信制御部１５）、無線局２（通信制御部２５）、無線局３（通信制御部３５）、及び無線端末４（通信制御部４５）による通信制御方法は、いずれもApplication Specific Integrated Circuit（ＡＳＩＣ）を含む半導体処理装置を用いて実現されてもよい。また、これらの通信制御方法は、少なくとも１つのプロセッサ（e.g. マイクロプロセッサ、Micro Processing Unit（ＭＰＵ）、Digital Signal Processor（ＤＳＰ））を含むコンピュータシステムにプログラムを実行させることによって行われてもよい。具体的には、フローチャート及びシーケンス図に示されたアルゴリズムをコンピュータシステムに行わせるための命令群を含む１又は複数のプログラムを作成し、当該プログラムをコンピュータに供給すればよい。
【０１１５】
このプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１１６】
また、第１及び第２の実施形態では、主にLTEシステムに関して説明を行った。しかしながら、これらの実施形態は、LTEシステム以外の無線通信システム、例えば、3GPP UMTS (Universal Mobile Telecommunications System)、3GPP2 CDMA2000システム（1xRTT, HRPD (High Rate Packet Data)）、GSM (Global System for Mobile Communications) システム、又はWiMAXシステム等に適用されてもよい。
【０１１７】
さらに、上述した実施形態は本件発明者により得られた技術思想の適用に関する例に過ぎない。すなわち、当該技術思想は、上述した実施形態のみに限定されるものではなく、種々の変更が可能であることは勿論である。
【０１１８】
この出願は、２０１２年１２月２８日に出願された日本出願特願２０１２−２８８２１１を基礎とする優先権を主張し、その開示の全てをここに取り込む。
【符号の説明】
【０１１９】
１  第１の無線局
２  第２の無線局
３  第３の無線局
４  無線端末
５  コアネットワーク
６  無線ネットワーク
１０  第１のセル
２０  第２のセル
３０  第３のセル
１５  通信制御部
２５  通信制御部
３５  通信制御部
４５  通信制御部
【図１】
2018196157.tif 000003
【図２】
2018196157.tif 000004
【図３】
2018196157.tif 000005
【図４】
2018196157.tif 000006
【図５】
2018196157.tif 000007
【図６】
2018196157.tif 000008
【図７】
2018196157.tif 000009
【図８】
2018196157.tif 000010
【図９】
2018196157.tif 000011
【図１０】
2018196157.tif 000012
【図１１】
2018196157.tif 000013
【図１２】
2018196157.tif 000014
【図１３】
2018196157.tif 000015
【図１４】
2018196157.tif 000016
【図１５】
2018196157.tif 000017
【図１６】
2018196157.tif 000018
【図１７】
2018196157.tif 000019
【図１８】
2018196157.tif 000020
【図１９】
2018196157.tif 000021
【図２０】
2018196157.tif 000022
【図２１】
2018196157.tif 000023
【図２２】
2018196157.tif 000024
【図２３】
2018196157.tif 000025
【図２４】
2018196157.tif 000026